Podtech/llm-jp-corpus-v4-ja_patent huggingface dataset:
(57)【要約】      （修正有）【課題】彩りと食味、栄養価に優れたうどんの提供。【解決手段】伝統のうどん作り「手延べ製法」によるプレーンな麺と自然由来の素材パウダーを練りこんだ色付の麺を二層に重ね１本に仕上げ、配合違いの白麺と素材パウダーを入れた麺線を重ねると白麺がべたつき、素材入りがざらつくため食用植物油を接着剤替わりに使用する製法を用いたうどん。出来上がった半生の手延べうどんを熱湯で２分ほど（冷は３分）茹で、かけ汁で食すか水で冷しつけ汁で簡単に食することができ、白色のうどん１と素材入色付のうどん２とがいつも一緒にあり、うどん本来のコシや喉越しはもちろん、彩りや風味を楽しんだり、各素材の栄養素を摂取できる彩りと食味、栄養価に優れたうどん。【選択図】図１
2015198633.tif 000002
【特許請求の範囲】
【請求項１】
伝統のうどん作り「手延べ製法」によるプレーンな麺と自然由来の素材パウダーを練りこんだ色付の麺を二層に重ね１本に仕上げた彩りと食味、栄養価に優れたうどん。配合違いの白麺と素材パウダーを入れた麺線を重ねると白麺がべたつき、素材入りがざらつくため食用植物油を接着剤替わりに使用する製法を用いる。
【請求項２】
伝統のうどん作り「手延べ製法」によるプレーンな麺と自然由来の素材ペーストを練りこんだ色付の麺を二層に重ね１本に仕上げた彩りと食味、栄養価に優れたうどん。配合違いの白麺と素材ペーストを入れた麺線を重ねると白麺がべたつき、素材入りがざらつくため食用植物油を接着剤替わりに使用する製法を用いる。
【発明の詳細な説明】
【技術分野】
【０００１】本発明はうどんをより楽しく、より価値のあるものとする。
【背景技術】
【０００２】うどんの栄養素は概ね炭水化物からなり、食事の主食として利用される。
【発明の概要】
【発明が解決しようとする課題】
【０００３】以上のような従来のうどんは単純にコシと喉越しを楽しむもの、また人間に必要な炭水化物を中心としたエネルギー摂取のために食するもの。
【課題を解決するための手段】
【０００４】本発明は以上の点を解決するために、次のような構成を採用する。
〈構成１〉
小麦と塩で仕上げたプレーンなうどんと野菜パウダー又はペーストを練りこんだ色付のうどんを製造工程上の麺帯圧延する作業で２種を合わせ、彩りと栄養価に優れたうどん。【０００５】〈構成２〉
小麦と塩で仕上げたプレーンなうどんと茶葉又はペーストを練りこんだ色付のうどんを製造工程上の麺帯圧延する作業で２種を合わせ、彩りと栄養価に優れたうどん。
【発明の効果】
【０００６】本発明のうどんには次のような効果がある。
▲１▼視覚からも楽しめるうどんがあれば様々な食シーンで利用できる。また、この製法でカラーバリエーションを広げられる。
▲２▼栄養価の高い素材を組み合わせることで他の栄養素も同時に摂取できる。
2015198633.tif 000003
【図面の簡単な説明】
【０００７】
【図１】この発明のうどんの具体図を示す。
【図２】従来のうどんの図を示す。
【図３】この発明のうどんの断面図を示す。
【発明を実施するための形態】
【０００８】以下、本発明を図の具体例を用いて詳細に説明する。
【実施例１】
【０００９】小麦と塩で仕上げたプレーンな１白色のうどんと自然素材を練りこんだ２色付のうどんを製造工程上の麺帯圧延する作業で２種を合わせ、イタギ工程でごま油を塗布しながらまとめていき圧縮しながら３二層に重ねたうどんを一本の棒状にしながらタライに一定の量まで入れる。ここから１０分〜１５分位熟成させた後、自動巻き機で２回に分け徐々に麺帯を細くしていく。通す幅が中・小の順に行う。気温・湿度は２０℃の４０％ほど。自動巻き作業終了後、１時間熟成させ掛巻（カケバ）機を使い棒状に細くした麺を直径７ｍｍ、長さ約５０ｃｍの管２本に８の字型にかけていく。掛巻（カケバ）作業終了後、１時間熟成させ小引き作業で麺を３０ｃｍほどに引き延ばす。管にかけた麺を室（むろ）の中に入れここから３０分熟成させる。熟成後、門干し作業を行い、長さ５０ｃｍほどの箸を使い小引作業で延ばした長さから１ｍほど延ばしていき、ハタにかけていく。ハタにかけたら、麺同士の密着を防ぐため、麺の間に箸を通し防止する作業を行う。その後、乾燥室にあるプロペラを回し風を送り、さらに暖かい空気を送り込みながら空気を循環させ約２４時間乾燥させる。乾燥後、戻し室に入れ霧・オゾン殺菌しながらプロペラを回し麺を半生まで戻して完成。ハタから外し手巻きで袋詰めを行っていく。
【図面の簡単な説明】
【００１０】
【図１】この発明のうどんの具体図を示す。
【図２】従来のうどんの図を示す。
【図３】この発明のうどんの断面図を示す。
【符号の説明】
【００１１】１  白色のうどん
２  素材入り色付のうどん
３  二層に重ねたうどん
【図１】
2015198633.tif 000004
【図２】
2015198633.tif 000005
【図３】
2015198633.tif 000006
(57)【要約】【課題】地面や台の上に置かれた植木鉢は、強い風の日などに、鉢が倒れ転がってしまう。【解決手段】市販されているコンクリートブロックを用いて、コンクリートブロックの四角形状の穴に、四角形状の鉢を収められることを特徴とする鉢。【選択図】図１
2015198628.tif 000002
【特許請求の範囲】
【請求項１】
コンクリートブロックの四角形状の穴を用いて、四角形状の筒を収納する事を特徴としたコンクリートブロックの四角形状の穴に収める鉢。
【発明の詳細な説明】
【０００１】  本発明は、市販されているコンクリートブロックを用いて、コンクリートブロックの四角状の穴に鉢を収納するものである。
【背景技術】
【０００２】  従来、既存の鉢は、地面や台の上に置くしかなかった。
【発明の概要】
【発明が解決しようとする課題】
【０００３】  通常、植木鉢の置き方は地面や台に鉢本体を直接置いている。
風が強い日などは鉢が倒れ、転がってしまう危険がある。
【課題を解決するための手段】
【０００４】  市販されているコンクリートブロックを用いて、コンクリートブロックの四角状の穴を利用し、直接穴に挿入できる四角状の鉢を取付ける。
以上の構成によりなる鉢。
【発明の効果】
【０００５】  従来、風の強い日になどに、地面や台に置かれていた鉢が倒れ転がっていが、
本発明により、市販されているコンクリートブロックを用いて、コンクリートブロックの四角状の穴に鉢を収納することで、強い風の日でも転倒が防げる。
【図面の簡単な説明】
【０００６】
【図１】  本発明の鉢の斜視図
【図２】  本発明の使用状態を示す斜視図
【発明を実施するための形態】
【０００７】  以下、本発明の実施の形態を説明する。
市販されているコンクリートブロック（４）を用いて、コンクリートブロック（４）の四角形状の穴（５）に、四角形状の筒（１）の底面に水抜き穴（２）設け、上部に枠（３）設ける。
本発明は、以上のような構造である。
本発明を使用するときは、市販されているコンクリートブロック（４）を用い、コンクリートブロック（４）の四角形状の穴（５）を上に向け、鉢を設置する場所に置く。コンクリートブロック（４）の四角形状の穴（５）に本体が四角形状の筒（１）を挿入する。コンクリートブロック（４）の上面で四角形状の筒（１）の枠（３）がストッパーになって、四角形状の筒（１）が収容される。コンクリートブロック（４）の重さにより、安定して設置出来るので風等で鉢が倒れ転がる事も無く利用できる。
【符号の説明】
【０００８】  １四角形状の筒、２水抜き穴、３枠、４コンクリートブロック、５四角形状の穴
【図１】
2015198628.tif 000003
【図２】
2015198628.tif 000004
(57)【要約】      （修正有）【課題】活きたイソメ等を指でつまもうとすると滑り気のある体で暴れるので固定が難しく、湾曲した小さな釣針に取り付ける煩雑さや、イソメ等に傷をつけず、餌の活きを低下させず、釣針が自動的にイソメ等に刺さり、容易に餌付けができる釣り餌付け具を提供する。【解決手段】Ｕ字型に形成された餌収納溝部１を設け、餌収納溝部１の両端に複数の餌固定突起３を有する餌押さえ板２を設け、餌押え板２に釣り餌付け具を保持するための保持板４とイソメ等の餌を置くための餌置き板５を設け、餌収納溝部１の後端に餌離脱阻止板９を設けた釣り餌付け具。【選択図】図２
2015198629.tif 000002
【特許請求の範囲】
【請求項１】
釣りの際に釣針にイソメ等の餌を取り付けるための釣り餌付け具であって、
Ｕ字型に形成された餌収納溝部を設け、
餌収納溝部の両端に複数の餌固定突起を有する餌押さえ板を設け、
餌押え板に釣り餌付け具を保持するための保持板とイソメ等の餌を置くための餌置き板を設け、
餌収納溝部の後端に餌離脱阻止板を設けた釣り餌付け具。
【発明の詳細な説明】
【技術分野】
【０００１】  本発明は、釣りの際に釣針にイソメ等の餌を取り付けるための釣り餌付け具に関するものである。
【背景技術】
【０００２】  釣りの際には、餌としてイソメなどの小動物を利用することが多い。イソメなどの餌を活きたまま釣針に取り付けて釣りを行う。活きたままのイソメなどを湾曲した小さな釣針に取り付けるのは煩雑である。このため、様々な餌付け用の道具が提供されている。例えば、ある餌付け用道具は、ハサミ状の本体の先端に餌付け部を設けイソメ等の餌を固定して釣り針に取り付ける技術（特許文献１）が知られている。また、親指と人差し指に滑り止めを付けた指サックで餌をつかむ技術（特許文献２）が知られている。
【先行技術文献】
【特許文献】
【０００３】
【特許文献１】特開平１１−２０６２９９号公報
【特許文献２】登録実用３０２４９４９号公報
【発明の概要】
【発明が解決しようとする課題】
【０００４】  釣針にイソメ等を取り付けるために、活きたイソメ等を指でつまもうとすると滑り気のある体で暴れるので固定が難しく、湾曲した小さな釣針に取り付けるのは煩雑である。従来のハサミの先端に餌つかみ部を設け、挟み付けて餌を固定して釣り針に取り付ける技術では、形状や材質の工夫がなされている。例えば御影石を施した製品があるが、目詰まりを起こして固定できなくなる問題がある。また、突起部と微細な石を組み合わせて固定する方法では、イソメ等と突起部の状態により固定が不十分になる問題があり、強く固定しようとしてイソメ等に傷つけをつけ、餌の活きを低下させる問題も生じることがある（特許文献１）。滑り止めを付けた指サックを使用する技術は、餌の付け替えの度に着脱するか餌をつかんだ部分をタオルで拭かなければならず、寒い季節には手袋と指サックの両方の着脱をしなければならなかった（特許文献２）。
本発明は、以上の問題点を解決するためになされたものである。
【課題を解決するための手段】
【０００５】  Ｕ字型に形成された餌収納溝部を設け、餌収納溝部の両端に複数の餌固定突起を有する餌押さえ板を設け、餌押え板に釣り餌付け具を保持するための保持板とイソメ等の餌を置くための餌置き板を設け、餌収納溝部の後端に餌離脱阻止板を設ける。
以上の構成よりなる釣り餌付け具。
【発明の効果】
【０００６】  本発明は、活きたイソメ等を餌収納溝部付近に置いて指等で上から抑えることによって、イソメ等がＵ字型に形成された餌収納溝部に簡単に納まり、保持板を閉じることによって餌押さえ板に設けた複数の餌固定突起でイソメ等を確実に固定できるので、イソメ等を容易に釣針に取り付けることができる。その為にイソメ等に指を噛まれることがない。
単純な構造で使用後の洗浄が軽易にできるので、常に良好な状態に保てる。
又、寒い季節や餌に直接触るのが苦手な人でも、手袋をはめて手軽に使用できる。
イソメ等が苦手な人、特に女性や子供でも容易に餌付けをできることから、釣り人口の増加に寄与できる。
【図面の簡単な説明】
【０００７】
【図１】本発明の斜視図
【図２】本発明の使用状態の斜視図
【図３】本発明の閉じた状態の平面図
【図４】本発明のイソメ等を置いた状態の平面図
【図５】本発明のイソメ等を置いた状態の側面図
【図６】本発明のイソメ等を固定した状態の側面図
【発明を実施するための形態】
【０００８】  以下、本発明の実施の形態を説明する。
（イ）本発明の本体としてＵ字型に形成された餌収納溝部（１）を設ける。
（ロ）Ｕ字型に形成された餌収納溝部（１）の両端に連接して、図６で示したように餌押え板（２）をそれぞれに設ける。餌押さえ板（２）の前方部（図４で示した状態の釣り餌付け具の左側を前方部、右側を後方部と呼称する）の形状は、イソメ等の餌（７）を餌収納溝部（１）に納めやすくするために三角柱とする。
（ハ）図４で示したように餌押え板（２）の前方部で、図６に示した状態の餌押え板（２）の下側に複数の餌固定突起（３）を設ける。
（二）保持板（４）を図６で示した状態の餌押え板（２）の後方部の内側にそれぞれ設ける。
（ホ）餌置き板（５）を図６で示した状態の餌押さえ板（２）の前方部の外側にそれぞれ設ける。餌置き板（５）は、釣針（８）をつまんだ指で容易に変形する材質を使用する。
（ヘ）餌収納溝部（１）に納まった餌（７）が伸縮して餌収納溝部（１）から落ちないように、餌離脱阻止板（９）を餌収納溝部（１）の後端に設ける。
本発明は、以上のような構造である。
【０００９】（イ）本発明を使用するときは、図１に示すように釣り餌付け具を開いた状態にする。
（ロ）イソメ等の餌（７）を図４に示すように餌収納溝部（１）に沿って餌置き板（５）と保持板（４）の上に置く。
（ハ）イソメ等の餌（７）は、当初、点線で示した餌（７ａ）のように湾曲しているが、餌収納溝部（１）に沿ってイソメ等の餌（７）を指等で上から軽く押さえると実線で示した餌（７ｂ）のように餌収納溝部（１）に納まる。
（二）餌（７）は、伸縮しながら後方に移動する場合があるが、餌離脱阻止板（９）があるので餌収納溝部から落ちることはない。
（ホ）図４及び図５に示すようにイソメ等の餌（７）が餌収納溝部（１）に納まったならば、保持板（４）を図６に示すように閉じる。これによって、餌押え板（２）が餌（７）の上部を覆い、餌押え板（２）に付いている複数の餌固定突起（３）が餌（７）を固定する。
（ヘ）餌（７）を固定した状態で、図２に示すように釣針（８）を釣針通し隙間（６）に沿って移動させると、釣針（８）がイソメ等の餌（７）に自動的に刺さり、容易に餌付けが完了する。
【符号の説明】
【００１０】  １餌収納溝部
２餌押え板
３餌固定突起
４保持板
５餌置き板
６釣針通し隙間
７餌
７ａ餌
７ｂ餌
８釣針
９餌離脱阻止板
【図１】
2015198629.tif 000003
【図２】
2015198629.tif 000004
【図３】
2015198629.tif 000005
【図４】
2015198629.tif 000006
【図５】
2015198629.tif 000007
【図６】
2015198629.tif 000008
(57)【要約】      （修正有）【課題】路面の状況を触擦しやすく、交換が容易な杖の石突きを提供する。【解決手段】石突き１０は、シャフト２０の先端部２０ａに取り付けた弾性部材１２と、弾性部材１２又はシャフト２０に固定した取付部材１３と、弾性部材１２の外側に装着するとともに取付部材１３に係止着脱自在の石突き本体部１１を備える。さらに、１実施例においては取付部材１３と石突き本体部１１との係止着脱は、一方に係止凸部１３ａ、他方に係止凹部１１ｃを有する構成からなる。【選択図】図１
2015198684.tif 000002
【特許請求の範囲】
【請求項１】
シャフトの先端部に取り付けた弾性部材と、
弾性部材又はシャフトに固定した取付部材と、
前記弾性部材の外側に装着するとともに前記取付部材に係止着脱自在の石突き本体部を備えたことを特徴とする石突き。
【請求項２】
前記取付部材と石突き本体部との係止着脱は、一方に係止凸部、他方に係止凹部を有する構成からなることを特徴とする請求項１記載の石突き。
【発明の詳細な説明】
【技術分野】
【０００１】
本発明は、杖の先に取り付けられる石突きに関する。
【背景技術】
【０００２】
視覚障害者，老人，登山者等が歩行の補助として使用する杖の先に石突きが取り付けられている。
この石突きは、路面に繰り返し当たることから摩耗や傷が付きやすく、交換が必要な部品である。
例えば、視覚障害者が使う白杖は、周囲に視覚障害者であることを知らせるとともに、使用者が石突きで路面の様子を知り、前方や足下の安全を確認するのに重要である。
このような石突きは、路面を触擦し外界の情報を振動として知覚するために、従来は使用中に外れることがないようにシャフトの先端に接着剤で固定されている。
特許文献１には、路面に突っかかりにくく、疲れずに速く歩行できる盲人安全杖として竿部の先に弾性部材を取り付け、さらにその外面に殻部材を取り付けたものを開示するが、やはりこの弾性部材は杖の先の取付部材に接着してあり、殻部材は弾性部材に接着したものである。
しかし、このように杖のシャフト部の先端に接着固定した石突きを交換するには、専門業者に送付し交換してもらわなければならず、自分で交換できないためにその間は予備の白杖を使用しなければならなかった。
【先行技術文献】
【特許文献】
【０００３】
【特許文献１】ＷＯ２００７／０５８１８０号公報
【発明の概要】
【発明が解決しようとする課題】
【０００４】
本発明は、路面の状況を触擦しやすく、交換が容易な杖の石突きの提供を目的とする。
【課題を解決するための手段】
【０００５】
本発明に係る石突きは、シャフトの先端部に取り付けた弾性部材と、弾性部材又はシャフトに固定した取付部材と、前記弾性部材の外側に装着するとともに前記取付部材に係止着脱自在の石突き本体部を備えたことを特徴とする。
杖はグリップ，シャフト，シャフトの先端の石突きからなるが、本発明はこの石突きを自分でも交換可能にしたものである。
石突きは、路面を繰り返し突き又は触れ廻し使用するものであり、ネジやピンで固定すると使用中に外れる恐れがあることから、本発明は石突きをシャフトに係止着脱自在にしたものであり、取付部材と石突き本体部との係止着脱は、一方に係止凸部、他方に係止凹部を有する構成からなるのが好ましい。
【発明の効果】
【０００６】
本発明に係る石突きは、シャフトの先端に弾性部材を介して交換可能に石突き本体部を取り付けたので、２００Ｈｚ以上の振動伝達を抑えることができ、視覚障害者にも使用しやすく、路面状況に応じて石突き本体部を交換したり、消耗品として取り換えも容易である。
【図面の簡単な説明】
【０００７】
【図１】石突きの取付構造を示し、（ａ）は石突きの断面図，（ｂ）は外観図，（ｃ）は石突き本体部を取り外した状態の断面図，（ｄ）はその外観図を示す。
【図２】石突き部分の分解図を（ａ）〜（ｄ）に示す。
【図３】白杖の例を示す。
【図４】シャフトに加速度計をつけて測定した振動数とその強度（パワースペクトラム）を示す。
【発明を実施するための形態】
【０００８】
本発明に係る石突きの構造例を以下図に基づいて説明する。
杖は、図３に示すようにグリップ３０にシャフト２０を連結し、このシャフト２０の先端に石突きを取り付けたものである。
石突き１０の構造例を図１，２に示す。
シャフト２０の先端部にゴム弾性材からなる弾性部材１２を取り付ける。
実施例では、シャフト２０の先端部にフランジ状の抜け止め部２０ａを有する例になっているが、シャフトの先端に弾性部材１２を取り付けることができるのであれば、これに限定されない。
シャフト２０は、アルミや炭素繊維等が使用されている。
弾性部材１２は、中央部にシャフト２０の挿通孔１２ａを有する略円筒状であり、上部に取付部材１３の固定部１２ｂが段差状に設けてある。
取付部材１３は、リング状の形状からなり、石突き本体部１１を着脱自在に係止固定する凹部１３ａと、弾性部材１２の上面に内側方向のつば部１３ｃと、弾性部材１２の固定部１２ｂに嵌め込むための嵌込部１３ｂを有する。
弾性部材の固定部１２ｂと取付部材１３の嵌込部１３ｂとの間に接着剤を塗布し、接着固定する。
なお、弾性部材１２とシャフト２０との間も接着固定する。
この状態を図１（ｃ），（ｄ）に示す。
石突き本体部１１は、硬質プラスチック等の樹脂成形品であり、弾性部材の先端部及び外周部を覆うように装着する装着凹部１１ｂと、取付部材の凸部１３ａに係止する凹部１１ｃを有する。
また、凹部１１ｃの上面は、石突き本体部１１が弾性変形して取付部材１３に係止しやすいように内側が下方に位置する傾斜部１１ｄを設けてある。
本実施例では、石突き本体部１１の先端部１１ａがキノコ形状になっているが、これに限定されない。
【０００９】
シャフト２０に加速度計をつけて石突き本体部１１を擦りつけた時の振動特性（ＦＦＴ解析）を図４のグラフに示す。
掌に受ける感覚線維の振動値（１２０〜１４０Ｈｚ）に近い振動数付近に、単峰性のパワースペクトラムの大きなピークが現れている。
これにより、白杖等の使用者とっては使いやすいことが分かる。
【符号の説明】
【００１０】
１０      石突き
１１      石突き本体部
１２      弾性部材
１３      取付部材
【図１】
2015198684.tif 000003
【図２】
2015198684.tif 000004
【図３】
2015198684.tif 000005
【図４】
2015198684.tif 000006
(57)【要約】【課題】  本発明は、スーパーマーケットやコンビニ又は総菜屋あるいは弁当屋等で使用する、揚げ物作業後に排出される揚げカスの遠心脱油装置に関するもので、既存の遠心分離装置では、揚げカス等内容物の偏りに起因する装置の振動があった。また、それを解消するために装置が複雑になった。構造を簡素化し、且つ安全に成形されていること。【解決手段】  円筒形回転網カゴに上方から熱い油を含んだ揚げカスを投入し、駆動モーターを用い回転させ、遠心力により揚げカスと揚げカスに含まれた油分を分離する、揚げカス脱油装置において、駆動モーターに軸継手を介し接続した磁石円盤と円筒形回転網カゴの底部を直接接触回転させ、起動時には滑りながらゆっくり回転し、円筒形回転網カゴ内の揚げカス等内容物が安定したら、定格回転数まで上昇し、揚げカスと油分を遠心分離させる。磁力を利用したモーターと回転網かごの接続方法である為、分離物の重量や内容物の偏り具合に合わせて、自動的に調整しながら回転させることができる。【選択図】図１
2015198880.tif 000002
【特許請求の範囲】
【請求項１】
円筒形回転網カゴ（▲１▼）に上方から熱い油を含んだ揚げカスを投入し、駆動モーター（▲５▼）を用い回転させ、遠心力により揚げカスと揚げカスに含まれた油分を分離する、揚げカス脱油装置において、駆動モーター（▲５▼）に軸継手（▲４▼）を介し接続した磁石円盤（▲３▼）と円筒形回転網カゴ（▲１▼）の底部（▲２▼）を接触させ、起動時には滑りながら回転し、円筒形回転網カゴ（▲１▼）内の揚げカス等内容物が安定したら、定格回転数まで上昇し、揚げカスと油分を遠心分離させる揚げカス脱油装置。
【発明の詳細な説明】
【技術分野】
【０００１】  本発明は、スーパーマーケットやコンビニ又は総菜屋あるいは弁当屋等で使用する揚げカス遠心分離装置に関する。
【背景技術】
【０００２】  従来の揚げカス脱油装置においては、多くは遠心分離の方式をとっているが、回転カゴの駆動方法がプーリーとベルトの組み合わせ、又はモーター直結の場合は終始一定の回転数のため、揚げカスを回転カゴに投入した際、偏りが発生した場合に激しい振動が発生する。その振動を吸収する為に、バネで吊るす、電気的に回転速度を調節する等の防振対策が取られてきた。機構を複雑にすることが、製造コストに影響し、一番必要としている小規模店舗への普及を阻害しているように思われる。また、防災の観点からは、作業終了後の高温の揚げカスは、そのまま大量にゴミ箱等に廃棄すると自然発熱による発煙、発火の恐れがあり、揚げカスの温度を下げてからの廃棄が求められている。また、環境面においては揚げカスに水をかけて冷ましているところもあるが、排水溝からの水質汚染につながる可能性がある。また、揚げカスに含まれる油は揚げカス重量の５０％近くになる場合もあり、分離すれば揚げカスの温度を一気に下げることができ、すぐ廃棄処理が可能になり、また油分は再利用できるので、揚げ油の使用期間の延長を通じて残渣の削減にもつながる。
【発明の概要】
【発明が解決しようとする課題】
【０００３】  しかし、回転カゴの駆動方法がプーリーとベルトの組み合わせ、又はモーター直結の場合は終始一定の回転数のため、揚げカスが偏って回転カゴに投入された場合、初速が早いため、激しい振動が発生する。そしてその振動を吸収する為に、バネで吊るす、支える、又は電気的に回転速度を調節する等の防振対策が取られてきた。【０００４】  しかし、運転開始時から高速で回転する為、振動を吸収しきれず遠心分離装置が飛び跳ねる様な事態がある。また回転カゴの内容物が均一な配置になるまで、回転カゴが筐体にぶつかり、大きな打撃音が発生するのを抑制する、また、様々な防振対策での部品点数の増加に伴うコスト、故障率の上昇を抑えるという課題を残している。
【課題を解決するための手段】
【０００５】  発明者はこのような点に鑑み種々試作検討を重ねた結果、本発明に到達したものであって、本発明は回転カゴを回転させる手段として、モーター軸に磁石円盤を配置し、回転カゴ底部を磁石円盤に接触させることにより、モーター軸の回転を回転カゴの回転に伝えるものである。これにより起動時にモーター軸が高速回転しても、回転カゴは内容物の重量に合わせて、又は均一な配置になるまでは、ゆっくり滑りながら回転し、安定した時点でモーターの回転速度と同期させる事に成功した。モーター直結式のため装置が簡素化された。
【発明の効果】
【０００６】  上述のように本発明は、揚げカス遠心脱油作業時において、内容物の偏りが原因の突然の振動がなくなり、安全で簡便に脱油作業ができる。また、構造が簡素化され故障も少なくなり、安価に製造でき、小規模事業所にも導入が可能となる。したがって従来の揚げカス脱油装置に比較してきわめて便利に利用でき、環境保全にも有効という卓越した作用効果を奏する。
【図面の簡単な説明】
【０００７】
【図１】  全体の構成を示す側面図
【発明を実施するための形態】
【０００８】  添付図面により本発明の実施するための形態を説明すると、図１は本発明の揚げカス遠心分離装置の全体を示す実施例図であり、小型であって作業現場その場で処理作業ができる。
【実施例】
【０００９】  図において（１）は回転カゴであって、遠心分離用の円筒型の穴あきドラムであり、このドラムの底板（２）は磁石が作用する金属板を使用しており、この底板（２）と磁石円盤（３）が接触配置され、モーター軸に配された磁石円盤接続器（４）によってモーター（５）の回転力が伝達される。【００１０】  揚げカスは図示していないが、回転カゴ（１）の上部より投入された揚げカスは、回転カゴ（１）内に貯留され、モーター（５）の回転力により遠心分離され、温度の下がった揚げカスと、再利用可能な油に分けられる。【００１１】  揚げカスは即座に廃棄処理できる温度まで下がる為、廃棄するか又は再販可能な天かす等はパック詰めにして販売できる。分離された油分は、油受け容器（６）に溜まり油抜き口（７）より排出されフライヤーに戻されて揚げ油として使用される。【００１２】  本発明の揚げカス遠心分離装置の使用においては、構造が簡素であるにより、簡単に分解清掃ができ、機器自体の清潔も保てる。【００１３】  また本発明の揚げカス遠心分離装置は回転カゴ（１）内に袋状の濾紙（８）を配置することができ、単に濾紙を交換するだけで便利に素早く揚げカス廃棄の連続作業も可能である。
【産業上の利用可能性】
【００１４】  本発明は食用揚げ油の揚げカス処理が主体であるが、磁石を利用した自動トルクコンバーターは小型機器で幅広く利用できるものと思える。また、食用油濾過装置との一体化により、揚げ物作業における、油の濾過、揚げカスの分離廃棄を一括で行える装置に発展させられる可能性がある。
【符号の説明】
【００１５】  （１）…回転カゴ
（２）…底板
（３）…磁石円盤
（４）…磁石円盤接続器
（５）…モーター
（６）…油受け容器
（７）…油抜き口
（８）…袋状濾紙
【図１】
2015198880.tif 000003
(57)【要約】【課題】イスに座ったとき脚が開くので脚が開くのを避ける座った時に脚が開きにくい脚プレスを提供する。【解決手段】楕円形の本体の一片を空けた形状を特徴とする。【選択図】図２
2015198883.tif 000002
【特許請求の範囲】
【請求項１】
楕円形の一片を空けて、座った時に脚が開きにくい脚プレス。
【発明の詳細な説明】
【技術分野】
【０００１】この発明は、器具を使って座った時に脚が開きにくい脚プレスに関するものである。
【背景技術】
【０００２】  従来、女性は座った時に脚が開かないように気を付けるだけだった。
【発明の開示】
【発明が解決しようとする課題】
【０００３】  これは次のような欠点があった。
（イ）座ったときに脚が開かないように脚を組むと骨盤がよがむ。
（ロ）座ったときに気を抜いたら脚がひらいてパンツが見える。
本発明は、以上のような欠点をなくすためになされたものである。
【課題を解決するための手段】
【０００４】  ふとももが入る位の楕円形の一片の間を設ける。
本発明は、以上の構成よりなる座った時に脚が開きにくい脚プレスである。
【発明の効果】
【０００５】  座った時に脚が開くのを押さえると電車の中で居眠りした時や仕事中など、スカートを気にせずに座ることが出来る。
【発明を実施するための最良の形態】
【０００６】  以下、本発明を実施するための最良の形態について説明する。
楕円形の一片の間を開ける。
本発明は以上のような構造である。
これを使用するときは、座ったときに脚の開きが気になる時に使用すればよい。
【図面の簡単な説明】
【０００７】
【図１】本発明の、底面図である。
【図２】本発明の、斜視図である。
【符号の説明】
【０００８】  １，楕円形の本体
【図１】
2015198883.tif 000003
【図２】
2015198883.tif 000004
(57)【要約】【課題】  従来のトレーニングマットは，数多い数字・文字・絵・記号又は模様により，それらを認識するために時間を要し，トレーニングの効率性を妨げるものであった．【解決手段】  膝や下腿及び身体に負担の少ない人工芝を用い，マット自体の形状は長方形とし，マット中央に正方形状の枠を設け，前述の正方形の中心表面に一つの認識しやすい形状の模様及び正方形の左右周囲表面にそれぞれ３つずつ認識しやすい形状の模様を表記することを特徴とする．【選択図】図１
2015198882.tif 000002
【特許請求の範囲】
【請求項１】
人工芝を用いた，Ｆｉｓｉｃａｌｍａｔ．
【請求項２】
マット中央部に正方形状の認識しやすい枠を設け，正方形の中心表面に一つの認識しやすい形状の模様，及び正方形の左右周囲表面にそれぞれ３つずつ認識しやすい形状の模様を表記する．
【発明の詳細な説明】
【技術分野】
【０００１】  本発明は，人工芝を用い，フットワーク，敏捷性及びバランス感覚などの調整力，筋力を向上させるための，Ｆｉｓｉｃａｌｍａｔである．
【背景技術】
【０００２】  従来のトレーニング用のマットには，適宜の大きさ及び形状に形成された複数枚のマット体から成り立ち，スポーツ選手の多種多様なトレーニングや幼児や児童の遊具や学習具として使用できるものがある（特許文献１参照）．また，敏捷性等の調整力を鍛えるものもある（特許文献２参照）．
【先行技術文献】
【特許文献】
【０００３】
【特許文献１】  特開２００４−２０９０５７号公報
【特許文献２】  特開２００４−３０５５２９号公報
【発明の概要】
【発明が解決しようとする課題】
【０００４】  以上に述べた従来のトレーニングマットでは，実施者にとっては数多い数字・文字・絵・記号又は模様により，それらを認識するために時間を要し，トレーニングの効率性を妨げるものであった．
【課題を解決するための手段】
【０００５】  本発明は鋭意検討し，このような従来の構成が有していた問題を解決するものであり，本発明を完成させた．本発明は，膝や下腿及び身体に負担の少ない人工芝を用い，マット自体の形状は長方形とし，マット中央に正方形状の認識しやすい枠の模様を設け，前述の正方形の中心表面に一つの認識しやすい形状の模様及び正方形の左右周囲表面にそれぞれ３つずつ認識しやすい形状の模様を表記する．
【発明の効果】
【０００６】  本発明は，人工芝を用いるため身体へのストレスが軽減され，簡便な方法にてトレーニングを提供できる．
【図面の簡単な説明】
【０００７】
【図１】  図１は，本発明の平面図である．
【発明を実施するための形態】
【０００８】  本発明の詳細について説明する．膝や下腿及び身体に負担の少ない人工芝を用い，マット自体の形状は長方形とし，マット中央に認識しやすい正方形状の枠の模様を設け，前述の正方形の表面中心に一つの認識しやすい形状の模様及び正方形の左右周囲表面にそれぞれ３つずつ認識しやすい形状の模様を表記する構造である．
【実施例】
【実施例１】
【０００９】    本発明の実施例について説明する．
以下の動作は，常に足をステップさせ，連続して行う．スタート時は，図１（以下，図１省略）２の上表面に両足で立ち，２の上部でステップを行う．その後，３ａに左足を移動させ，それと同時に右足でも２の表面上でもステップを行う．次に，右足はそのままステップを続け，左足は，３ｂに移動させステップを行う．同様に右足はそのままステップを続け，左足は，３ｃに移動し，ステップを行う．同様に，左足を２に置き，前述の内容を，４ａ，４ｂ，４ｃにて行う．
【実施例２】    以下の動作は，常に足をステップさせ，連続して行う．スタート時は，２の上表面に両足で立ち，２の上部で左右交互に片足ずつスキップを行う．その後，３ｂに両足を移動させ，３ｂ上で左右交互に片足ずつスキップを行う．再度，２に戻り，２の上表面に両足で立ち，２の上部で左右交互に片足ずつスキップを行う．次に，４ｂに両足を移動させ，４ｂ上で左右交互に片足ずつスキップを行う．
【実施例３】    ボール使用例．２の上表面に左足を置き，２と４ｂの間のライン上を足裏でボールを転がすと同時に，左足でバランスをとる．同様に，２の上表面に右足を置き，２と３ｂの間のライン上を足裏でボールを転がすと同時に，右足でバランスをとる．
【実施例４】    ボール使用例．４ｃ上に立ち，ボールを足元に置く．足でボールを運び４ｂと４ａの間をスラロームドリブルし，続けて２に足でボールを運び，３ｃに移動する．そして，３ｃから３ｂと３ａの間をスラロームドリブルする．
【実施例５】  ストレッチマットとしても，利用可能である．
【符号の説明】
【００１０】１  マット中央の正方形状の枠
２  マット中央の正方形内の中心の認識しやすい模様
３ａ  マット中央の正方形の左側表面上部の認識しやすい模様
３ｂ  マット中央の正方形の左側表面中央の認識しやすい模様
３ｃ  マット中央の正方形の左側表面下部の認識しやすい模様
４ａ  マット中央の正方形の右側表面上部の認識しやすい模様
４ｂ  マット中央の正方形の右側表面中央の認識しやすい模様
４ｃ  マット中央の正方形の右側表面下部の認識しやすい模様
【図１】
2015198882.tif 000003
(57)【要約】【課題】  本発明品では値札内の値段の元になる各桁の数字を、自在に手軽に変更できる値札プレートを提供する。【解決手段】  値札プレート本体１に、片面に色が着色された反転ローラー２ａ〜２ｇをそれぞれデジタル数字を形成する形に配置し、それぞれの反転ローラー２ａ〜２ｇを各デジタル数字に合わせた配置の色に回転して組み合わせる事により、各桁個別に反転ローラー２ａ〜２ｇ全体をひとつのデジタル数字の値段表記として表す事ができる。【選択図】図１
2015198887.tif 000002
【特許請求の範囲】
【請求項１】
反転ローラーに、少なくとも２色以上の色を備え、七つの反転ローラーをそれぞれデジタル数字を形成する形に配置し、それぞれの七つの反転ローラーを、各デジタル数字に合わせた配置の色に、回転して組み合わせる事により、各桁個別に七つの反転ローラー全体をひとつの桁のデジタル数字の値段表記として表す事ができる値札プレート
【発明の詳細な説明】
【技術分野】
【０００１】  本考案は値札に関し、特に値札内の数字を自由に変更できる値札プレートに関する。
【背景技術】
【０００２】  商品などで使用する値札は、主に値段表記とバーコードが備えられた値札シールが使われている。一方で野菜や魚、ガソリンなど値段の変動が多い商品では、値札シールの張替えが多くなり、別の手段が必要となる。
【背景技術】
【０００３】  値札変動に対応した値札プレートでは、各数字が描かれたマグネットシートをそれぞれの桁に貼り付けるタイプの値札や、電子液晶表示を用いた値札がある。
【発明の開示】
【発明が解決しようとする課題】
【０００４】  本発明品では値札内の値段の元になる各桁の数字を、自在に手軽に変更できる値札プレートを提供する。
【課題を解決する為の手段】
【０００５】  値札プレート本体１に、片面に色が着色された反転ローラー２ａ〜２ｇをそれぞれデジタル数字を形成する形に配置し、それぞれの反転ローラー２ａ〜２ｇを各デジタル数字に合わせた配置の色に、回転して組み合わせる事により、各桁個別に反転ローラー２ａ〜２ｇ全体をひとつのデジタル数字の値段表記として表す事ができる。
【発明の効果】
【０００６】  各桁に備えられた反転ローラー２ａ〜２ｇをデジタル数字状に配置し、各桁個別に反転ローラー２ａ〜２ｇを回転させ、反転ローラー２ａ〜２ｇからなる反転した色でデジタル数字状に組み合わせる事で、反転ローラー２ａ〜２ｇ全体をひとつのデジタル数字として表す事ができる。
【発明を実地する為の最良の形態】
【実地例】
【０００７】  図１の三桁目は百の位を表している。２ａ、２ｃ、２ｄ、２ｆ、２ｇの反転ローラー２は、それぞれ黒面になっている。また２ｂ、２ｅの反転ローラー２は白面になっている。
【０００８】  これらの反転ローラー２ａ〜２ｇの組み合わせにより、三桁目の反転ローラー２ａ〜２ｇ全体でテジタル数字の３が表せている。
【０００９】  図２は図１の数字の三桁目の百の位を変更した状態を表している。図１の反転ローラー２ａ、２ｃ、２ｆ、２ｇは変更せずに、反転ローラー２ｂ、２ｅを回転させ、白面から黒面に変更し、反転ローラー２ｄを回転させ、黒面から白面へと変更している。
【００１０】  これらの反転ローラー２ａ〜２ｇの組み合わせにより、三桁目の反転ローラー２ａ〜２ｇ全体でデジタル数字の０が表せている。
【００１１】  （０００７）から（００１０）のように、各桁は反転ローラー２ａ〜２ｇの黒面と白面を回転させ、それぞれのデジタル数字に合わせた配置に組み合わせる事により、反転ローラー２ａ〜２ｇ全体でひとつのデジタル表示として表す事ができる。
【図面の簡単な説明】
【００１２】
【図１】  値札プレートを表した正面図である。
【図２】  値札プレートを操作した状態を表した正面図である。
【図３】  反転ローラー（白面）を表した一部拡大側面図である。
【図４】  反転ローラー（黒面）を表した一部拡大側面図である。
【符号の説明】
【００１３】  １  値札プレート本体
２  反転ローラー
３  バーコードラベル
【図１】
2015198887.tif 000003
【図２】
2015198887.tif 000004
【図３】
2015198887.tif 000005
【図４】
2015198887.tif 000006
(57)【要約】【課題】カッター刃をヘラに押し付けようとしてもカッター刃が従来の直線的なカッターでは、カッター本体部内でカッター刃が内側に反ってしまう作用が働きヘラからカッターの刃先が離れてしまうことがあり。一定した壁紙等エッジカット仕上げは不可能だった。本発明は、壁紙等の一定したエッジカット仕上げを、するためのカッターを提供する。【解決手段】への字型カッター本体部の先端より約５０ｍｍ程度の位置から先端が水平より４ｍｍ程度低くなる位の角度のあるへの字型の形状を持った特徴を持つへの字型カッター。【選択図】図２
2015198884.tif 000002
【特許請求の範囲】
【請求項１】
カッター本体部の中心よりやや先端部分を外側に緩やかにへの字型状の形状を持つへの字カッター。
【発明の詳細な説明】
【技術分野】
【０００１】本発明は、壁装作業などの施工具に関するものである。
【技術背景】
【０００２】従来、壁紙等のエッジカットするためには、カッターの刃がヘラから離れないように押し当てながらエッジカットをしていた。
【発明の概要】
【発明が解決しようとする課題】
【０００３】カッター刃をヘラに押し当てながら壁紙等のエッジカットをすると、従来の直線的なカッターでは、カッター本体部内でカッター刃が内側に反ってしまう作用が働きヘラからカッターの刃先が離れてしまうことがあり。切り口の一定した壁紙等のエッジカット仕上げは、不可能だった。本発明は、以上の問題点を解決するためになされたものである。
【課題を解決するための手段】
【０００４】カッター本体部の中心よりやや先端部分を、外側に緩やかにへの字状の形状を持たせる。
以上の構成よりなるへの字型カッター。
【発明の効果】
【０００５】従来不可能とされていた切り口の一定した壁紙等のエッジカットを、本発明により可能にし、簡単に壁紙のエッジ部分の仕上げができる。
【図面の簡単な説明】
【０００６】
【図１】本発明の使用状態を示す斜視図
【図２】本発明の側面図
【発明を実施するための形態】
【０００７】以下、本発明の実施の形態を説明する。
（イ）図２に示すように、への字型カッター本体部（４）の先端（６）より約５０ｍｍ程      度の位置から先端（６）が水平より４ｍｍ程度低くなる位の角度を持つへの字状の      形状にする。
（ロ）への字状カッター本体部（４）をカッターホルダー（２）に固定する。
本発明は以上のような構造である。
本発明を使用するときは、への字型カッター本体部（４）の中で、ロック部（５）をスライドさせてカッター刃（３）をヘラ部（１）から刃先が３ｍｍ程度出た状態でロック部（５）をロックして壁紙等のエッジカットをする。壁紙等のエッジカット時に従来の直線的なカッター本体では、カッター刃（３）がカッター本体内で内側へ反ろうとする作用が働きヘラ部（１）からカッター刃（３）が離れてしまうが、への字型カッター本体部（４）は外側にへの字型になっているため、への字型カッター本体部（４）内のカッター刃（３）が外側へ反る作用が働きカッター刃（３）がヘラ部（１）から離れにくくなり一定した壁紙等のエッジカット仕上げが可能となる。
【符号の説明】
【０００８】１ヘラ部、２カッターホルダ、３カッター刃、４への字型カッター本体部、５ロック部
【図１】
2015198884.tif 000003
【図２】
2015198884.tif 000004
(57)【要約】【課題】医師や理学療法士、作業療法士が不在の場合でも脳血管障害者の各回復段階に合わせた訓練を可能にする。【解決手段】健常者の動作をMicrosoft Kinect (登録商標)で観測する。その時健常者の特徴点を観測画像から決定する。特徴点の３次元座標をMicrosoft Kinect (登録商標)で決定し脳血管障害の３次元座標と比較し一致率を統計処理する。これにより医師や理学療法士、作業療法士が不在の場合でも脳血管障害者の各回復段階に合わせた訓練が可能となる。【選択図】図１
2015198835.tif 000002
【特許請求の範囲】
【請求項１】
脳血管障害者の身体運動に伴う三次元座標の変化をMicrosoft Kinect (登録商標)で測定し、脳血管障害者の各回復段階に合わせて訓練する方法。
【請求項２】
請求項１の訓練効果の判定を統計処理によって行う方法。
【請求項３】
請求項１の訓練をモニタ画面に映る健常者の動作に追従させることで行う方法。
【請求項４】
請求項１の訓練のために、モニタ画面に映る健常者の動作に追従させる際に、正しい動作の方向をモニタ画面上の文字、図及び音声で提示する方法。
【発明の詳細な説明】
【技術分野】
【０００１】
本発明はリハビリテーション分野における脳血管障害者の各回復段階に合わせて行う訓練に関するものである。
【背景技術】
【０００２】
Microsoft Kinect (登録商標)による脳血管障害者の各回復段階に合わせて訓練する方法は存在していない。
【発明の概要】
【発明が解決しようとする課題】
【０００３】
解決しようとする課題は、医師や理学療法士、作業療法士が不在の場合でもMicrosoft Kinect (登録商標)の観測情報を使うことで脳血管障害者の各回復段階に合わせて訓練する方法の提案である。
【課題を解決するための手段】
【０００４】
健常者の動作をMicrosoft Kinect (登録商標)で観測する。その時健常者の特徴点を観測画像から決定する。特徴点の３次元座標をMicrosoft Kinect (登録商標)で決定し脳血管障害の３次元座標と比較し一致率を統計処理する。これにより医師や理学療法士、作業療法士が不在の場合でも脳血管障害者の各回復段階に合わせた訓練が可能となる。
【発明の効果】
【０００５】
Microsoft Kinect (登録商標)とコンピュータ、モニタを組み合わせた数万円程度のシステムで脳血管障害者の各回復段階に合わせた訓練をすることが出来る。
このことにより、医師や理学療法士、作業療法士が不足している地域において脳血管障害者の各回復段階に合わせた訓練が可能となる。例えば、日本の農村地域、海外のリハビリテーション後進国である。
【図面の簡単な説明】
【０００６】
【図１】脳血管障害者の各回復段階に合わせて訓練する原理図である。
【発明を実施するための形態】
【０００７】
Microsoft Kinect (登録商標)とコンピュータ、モニタで構成される。
【実施例】
【０００８】
図1は脳血管障害者の各回復段階に合わせて訓練する原理図である。図示のようにモニタに提示された健常者の動きを脳血管障害者がまねようと同じ動きをするときにMicrosoft Kinect (登録商標)を用いてリアルタイムに3次元座標を測定し特徴点を比較することで、健常者に近づく方向を音声、画面表示で教示し、脳血管障害者は健常者の動きに限りなく近づけるように努力する。教示する訓練動作を複数用意することで脳血管障害者の各回復段階に合わせて訓練する。
各回復段階に合わせて訓練する複数の動作は、リハビリテーションで使用する日常生活動作である。
【産業上の利用可能性】
【０００９】
リハビリテーション分野において脳血管障害者の各回復段階に合わせて訓練するためには医師や理学療法士、作業療法士といったリハビリテーション専門職の高度な技術が必要である。Microsoft Kinect (登録商標)の観測情報に基づいて脳血管障害者の各回復段階に合わせて訓練する技術は、リハビリテーション専門職が不足している地域において高い利用可能性がある。また、Microsoft Kinect (登録商標)の観測情報を使うことにより再現性の高い訓練が可能となり医療の質、効率の向上に有用である。
【図１】
2015198835.tif 000003
(57)【要約】      （修正有）【課題】医師や理学療法士、作業療法士が不在の場合でも脳血管障害者の回復段階の判定を可能にする方法を提供する。【解決手段】健常者の動作をMicrosoftKinect(登録商標)で観測する。その時健常者の特徴点を観測画像から決定する。特徴点の３次元座標をMicrosoftKinectで決定し、脳血管障害者の３次元座標と比較し一致率を統計処理する。これにより医師や理学療法士、作業療法士が不在でも脳血管障害者の機能回復段階の判定が可能となる。【選択図】図１
2015198834.tif 000002
【特許請求の範囲】
【請求項１】
脳血管障害者の身体運動に伴う三次元座標の変化をMicrosoft Kinect (登録商標)で測定し、脳血管障害者の回復段階を判定する手法。
【請求項２】
請求項１の判定を統計処理によって行う方法。
【請求項３】
請求項１の判定をモニタ画面に映る健常者の動作に追従させることで行う方法。
【請求項４】
請求項１の判定のために、モニタ画面に映る健常者の動作に追従させる際に、正しい動作の方向をモニタ画面上の文字、図及び音声で提示する方法。
【発明の詳細な説明】
【技術分野】
【０００１】
本発明は医師、理学療法士、作業療法士による脳血管障害者の回復段階の判定を画像解析で行う方法に関するものである。
【背景技術】
【０００２】
Microsoft Kinect (登録商標)を用いて脳血管障害者の回復段階を判定する方法は存在していない。
【発明の概要】
【発明が解決しようとする課題】
【０００３】
解決しようとする課題は、医師や理学療法士、作業療法士が不在の場合でもMicrosoft Kinect (登録商標)の観測情報を使うことで脳血管障害者の回復段階を判定する方法の提案である。
【課題を解決するための手段】
【０００４】
健常者の動作をMicrosoft Kinect (登録商標)で観測する。その時健常者の特徴点を観測画像から決定する。特徴点の３次元座標をMicrosoft Kinect (登録商標)で決定し、脳血管障害者の３次元座標と比較し一致率を統計処理する。これにより医師や理学療法士、作業療法士が不在でも脳血管障害者の機能回復段階の判定が可能となる。
【発明の効果】
【０００５】
Microsoft Kinect (登録商標)とコンピュータ、モニタを組み合わせた数万円程度のシステムで脳血管障害者の回復段階を判定することができる。このことにより、医師や理学療法士、作業療法士が不足している地域において機能回復評価が可能となる。例えば、日本の農村地域、海外のリハビリテーション後進国である。
【図面の簡単な説明】
【０００６】
【図１】脳血管障害者の回復段階を判定する原理図である。
【図２】脳血管障害者の回復段階の判定過程である。
【発明を実施するための形態】
【０００７】
Microsoft Kinect (登録商標)とコンピュータ、モニタで構成される。
【実施例】
【０００８】
図1は脳血管障害者の回復段階を判定する原理図である。図示のようにモニタに提示された健常者の動きを脳血管障害者がまねようと同じ動きをするときにMicrosoft Kinect (登録商標)を用いてリアルタイムに3次元座標を測定し特徴点を比較することで、健常者に近づく方向を音声、画面表示で教示し、脳血管障害者は健常者の動きに限りなく近づけるように努力する。教示する動作を複数用意することで回復段階を判断する。
回復段階を判断する複数の動作は、医師や理学療法士、作業療法士が脳血管障害の回復段階を判断する指標としているBrunnstrom  testや上田敏12段階片麻痺グレード総合判定で使用する12項目の評価動作を用い、各動作の完成度によって回復段階を判定する。
12項目の評価動作は以下の通りである。
（1）背臥位で患側の手を反対側の腰の辺に伸ばす。
（2）患手の先を健側の腰から患側の耳まで持っていく
（3）腰の後方へ手をつける
（4）肘を伸展させて上肢を前方水平へ挙上
（5）肘90°屈曲位での前腕回内動作
（6）肘90°屈曲位での前腕回外動作
（7）肘を伸展させて上肢を横水平へ挙上
（8）肘を伸展させて上肢を前方頭上へ挙上
（9）肘伸展位での前腕回内動作
（10）肘伸展位での前腕回外動作
（11）出来るだけ早く手を肩から頭上に挙上する
（12）出来るだけ早く腕を横水平位に挙上する
*（2）から（12）の動作はすべで腰掛け位で行う。
各動作の完成度に基づく脳血管障害者の判定過程は図２で示している。
【産業上の利用可能性】
【０００９】
医療分野において脳血管障害者の回復段階を判定するためには医師や理学療法士、作業療法士といったリハビリテーション専門職の高度な技術が必要である。Microsoft Kinect (登録商標)の観測情報に基づいて脳血管障害者の回復段階を判定する技術は、リハビリテーション専門職が不足している地域において高い利用可能性がある。また、Microsoft Kinect (登録商標)の観測情報を使うことにより再現性の高い評価が可能となり医療の質、効率の向上に有用である。
【図１】
2015198834.tif 000003
【図２】
2015198834.tif 000004